(57)【要約】【課題】カエル、ヘビ、昆虫などの生物が、水路を横断し、あるいは水路から地上へ這い上がりやすいコンクリート灌漑水路を提供する。【解決手段】コンクリート灌漑水路１は、上広がりに傾斜する対向一対の側壁３を有する。側壁３の対向面には、水流方向に一定幅にわたって上下複数段の階段状ステップ５を設けると共に、上下のテップ５間をほぼ斜めに接続する複数の渡り通路６を設ける。水路１の側壁３にオーバーハングした部分がないので、生物は、容易に渡り通路６を這い上って順次上方のステップ５へ移動したり、通路６又はステップ５に留まったり、また水路１外へ脱出することができる。ステップ５と渡り通路６は、側壁の対向面に突出する多数の突起７から構成し、その突起の形状を、円柱、楕円柱又は多角柱の一端を斜めに切り取った切片の形状とする。【選択図】図１
2004232213.tif 000002
【特許請求の範囲】
【請求項１】
上広がりに傾斜する対向一対の側壁を有し、
生物に足掛かりを与えるために、前記側壁の対向面に、水流方向に少なくとも一定幅にわたって設けられた上下複数段の階段状ステップと、
生物に前記上下のステップ間の移動足掛かりを与えるために、上下のテップ間をほぼ斜めに接続するように前記側壁の対向面に設けられた複数の渡り通路とを有し、
生物が前記渡り通路を這い上って順次上方のステップへ移動し又は直接ステップを上段へ這い上って水路外へ脱出できるように構成されていることを特徴とするコンクリート灌漑水路。
【請求項２】
前記階段状ステップと渡り通路が、前記側壁の対向面に突出する多数の突起から構成され、
前記突起が、円柱、楕円柱又は多角柱の一端を斜めに切り取った切片の形状であり、前記側壁の対向面の傾斜に沿って弧を上にしてほぼ水流方向に列をなして突出しており、
前記突起の外周に前記ステップと渡り通路が形成されることを特徴とする請求項１に記載のコンクリート灌漑水路。
【請求項３】
上広がりに傾斜する対向一対の側壁とこれら両側壁の下端を接続する底壁とを有し、
生物に足掛かりを与えるために、前記側壁の対向面に水流方向に少なくとも一定幅にわたって設けられた上下複数段の階段状ステップと、
生物に前記上下のステップ間の移動足掛かりを与えるために、上下のステップ間をほぼ斜めに接続するように前記側壁の対向面に設けられた複数の渡り通路とを有し、
生物が前記渡り通路を這い上って順次上方のステップへ移動し又は直接ステップを上段へ這い上って水路外へ脱出できるように構成されていることを特徴とする灌漑水路用コンクリートブロック。
【請求項４】
灌漑水路の上広がりに傾斜する対向一対の側壁を構成するための板状のブロックであって、
水路内の生物に足掛かりを与えるために、水路の内側となる一方の側面に水流方向に少なくとも一定幅にわたって設けられた上下複数段の階段状ステップと、
生物に前記上下のステップ間の移動足掛かりを与えるために、上下のステップ間をほぼ斜めに接続するように前記一方の側面に設けられた複数の渡り通路とを有し、
生物が前記渡り通路を這い上って順次上方のステップへ移動して水路外へ脱出できるように構成されていることを特徴とする灌漑水路用コンクリートブロック。
【発明の詳細な説明】
【０００１】
【発明の属する技術分野】
この発明は、コンクリート灌漑水路及び灌漑水路用コンクリートブロックに係り、カエル、ヘビ、昆虫などの生物が、水路を横断し、あるいは水路から地上へ這い上がりやすいようなコンクリート灌漑水路に関する。
【０００２】
【従来の技術】
従来のコンクリート灌漑水路は、用水を速やかに淀みなく流すことに主眼が置かれ、従って、その内側面は一般に平滑に形成されている。このような水路は流速が速い上に内側面が平滑であるために、生物が這い上がるための足掛かりがなく、棲息に必要な移動の障害となっている。
一方、水棲生物や植物等の育成環境を保全するために、側壁の一部に張り出し部を設けたコンクリート灌漑水路が提案されている（例えば、特許文献１参照）。このような水路においても、生物が這い上がるための足掛かりを提供する手段は講じられていない。
【特許文献１】特開平９−２４２０５３号公報
【０００３】
【発明が解決しようとする課題】
この発明は、カエル、ヘビ、昆虫などの生物が、水路を横断し、あるいは水路から地上へ這い上がりやすいようなコンクリート灌漑水路とこれを構成するブロックを提供することを課題としている。
【０００４】
【課題を解決するための手段】
この発明においては、上記課題を解決するため、上広がりに傾斜する対向一対の側壁を有するコンクリート灌漑水路における当該側壁の対向面に、水流方向に一定幅にわたって上下複数段の階段状ステップを設けると共に、上下のテップ間をほぼ斜めに接続するように側壁の対向面に複数の渡り通路を設けた。
水路の側壁にオーバーハングした部分がないので、生物は、容易に渡り通路を這い上って順次上方のステップへ移動したり、通路又はステップに留まったり、また水路外へ脱出することができる。
階段状ステップと渡り通路を側壁の対向面に突出する多数の突起から構成し、その突起を、円柱、楕円柱又は多角柱の一端を斜めに切り取った切片の形状とし、側壁の対向面の傾斜に沿って弧を上にしてほぼ水流方向に列をなして突出させ、突起の外周にステップと渡り通路を形成する。
これにより、生物が移動しやすく、製作が容易で美観も良好なコンクリート灌漑水路が構成できる。
上広がりに傾斜する対向一対の側壁と、これら両側壁の下端を接続する底壁とを設けて灌漑水路用コンクリートブロックを構成する。側壁の対向面には、生物に足掛かりを与えるために、水流方向に少なくとも一定幅にわたって上下複数段の階段状ステップを設けると共に、生物に上下のステップ間の移動足掛かりを与えるために、上下のステップ間をほぼ斜めに接続するように複数の渡り通路を設ける。この灌漑水路用コンクリートブロックを接続して上記コンクリート灌漑水路が構成できる。
また、灌漑水路の上広がりに傾斜する対向一対の側壁を構成するために板状のコンクリートブロックを構成する。このコンクリートブロックには、水路内の生物に足掛かりを与えるために、水路の内側となる一方の側面に、水流方向に少なくとも一定幅にわたって上下複数段の階段状ステップを設けると共に、生物に前記上下のステップ間の移動足掛かりを与えるために、上下のステップ間をほぼ斜めに接続するように複数の渡り通路を設ける。この灌漑水路用コンクリートブロックを接続して上記コンクリート灌漑水路がの側壁が構成できる。
【０００５】
【発明の実施の形態】
図面を参照してこの発明の実施の形態を説明する。図１はコンクリート灌漑水路の一部の概略的斜視図、図２はコンクリート灌漑水路の内側面の一部拡大斜視図、図３はコンクリート灌漑水路を構成するブロックの正面図、図４はコンクリート灌漑水路を構成するブロックの平面図である。
【０００６】
図１において、コンクリート灌漑水路１は、多数のコンクリートブロック２を接続して構成される。灌漑水路１（コンクリートブロック２）は、上広がりに傾斜する対向一対の側壁３と、これら両側壁３の下端を接続する底壁４とを有する。
【０００７】
側壁の対向面には、ヘビ、カエル、昆虫類等の生物に足掛かりを与えるための上下複数段の階段状ステップ５と、生物に上下のステップ５間の移動足掛かりを与えるための渡り通路６とを有する。渡り通路６は、上下のステップ５間をほぼ斜めに接続するように側壁の対向面に設けられる。
【０００８】
この実施形態において、ステップ５と渡り通路６は、側壁３の対向面に突出する多数の突起７から構成される。突起７は、円柱又は楕円柱の一端を斜めに切り取った切片の形状であり、側壁３の対向面の傾斜に沿って弧を上にしてほぼ水流方向に列をなして、上下に複数列突出している。突起７の外周にステップ５と渡り通路６が形成される。例えば、各突起７の上下幅を３０ｍｍ程度、ステップ５の突出幅を１０ｍｍ程度とすれば、大部分の生物が這い上りやすく、また水流を妨げることもない。突起７の寸法は全体に統一的である必要はないし、その配置が規則的である必要もないが、オーバーハングした部分が生じない形状である必要がある。
【０００９】
この灌漑水路１においては、生物が渡り通路６を這い上って順次、あるいは直接、上方のステップ５へ移動して水路外へ容易に脱出することができる。実験の結果、大小何れのカエルでも、ほぼ水平なステップ５の上面でしゃがみ込む姿勢を維持できる。ヘビは、ステップ５に半身を支えながら波形にうねって横方向に移動しながら上段へ進んで登壁することができる。玉石積み壁のようなオーバーハング部分がないのでスムーズに這い上ることができる。鱗状に配置された突起７により、コイが水路を泳いでいるような外観を呈し、美観的にも優れている。
【００１０】
図５は他の実施形態の灌漑水路及びこれを構成する柵板状ブロックの概略的斜視図である。
【００１１】
この実施形態においては、柵板状ブロック１２を上方開きの支柱（図示せず）で支えることによって灌漑水路１１が構成される。先の実施形態と同等の構成部分には同一の符号を付して説明を省略する。
【００１２】
図６は突起７の形状を多角柱状とした実施形態を示す。多角柱状の突起７は、上記Ｕ字溝状のブロック２及び柵板状ブロック１２の何れにも適用できる。突起７によってもステップ５と渡り通路６が形成できる。
【００１３】
【発明の効果】
この発明においては、上広がりに傾斜する対向一対の側壁３を有するコンクリート灌漑水路１，１１において、当該側壁３の対向面に、水流方向に一定幅にわたって上下複数段の階段状ステップ５を設けると共に、上下のテップ５間をほぼ斜めに接続するように複数の渡り通路６を設けたため、側壁にオーバーハングした部分がないので、生物が容易に渡り通路６を這い上って順次上方のステップ５へ移動したり、直接上段のステップ５へ移動したり、通路６又はステップ５に留まったり、また水路外へ容易に脱出することができ、生物の生息環境を乱すことのない、環境調和形の灌漑水路を提供することができるという効果を有する。
【図面の簡単な説明】
【図１】コンクリート灌漑水路の一部の概略的斜視図である。
【図２】コンクリート灌漑水路の内側面の一部拡大斜視図である。
【図３】コンクリート灌漑水路を構成するブロックの正面図である。
【図４】コンクリート灌漑水路を構成するブロックの平面図である。
【図５】他の実施形態の灌漑水路及びこれを構成する柵板状ブロックの概略的斜視図でである。
【図６】他の実施形態のコンクリート灌漑水路の内側面の一部拡大斜視図である。
【符号の説明】
１      コンクリート灌漑水路
２    コンクリートブロック
３    側壁
４    底壁
５    ステップ
６    渡り通路
７    突起
１１  コンクリート灌漑水路
１２  コンクリートブロック
【図１】
2004232213.tif 000003
【図２】
2004232213.tif 000004
【図３】
2004232213.tif 000005
【図４】
2004232213.tif 000006
【図５】
2004232213.tif 000007
【図６】
2004232213.tif 000008